(57)【要約】【課題】  溶接やボルト締めをすることなく横桟に対するメッシュパネルのがたつきを防止できるメッシュフェンスを提供する。【解決手段】  本発明のメッシュフェンス１は、横桟７は一方の側壁１７と他方の側壁１９と底壁２１とから形成した嵌合溝１５を長手方向に有し、一方の側壁１７は横線材１３の見込み部分１３ａに当接して嵌合溝１５からの抜けを防止する横線材係止部２３と、横線材１３の見付部分１３ｂに当接する横線材当接部２５と、横線材当接部２５から溝幅を狭めるように段差を付けて設けてあり且つ竪線材１１の見付部分１１ｂに当接する竪線材当接部２７とを有し、押縁９は、横桟７に取り付けてあり、他方の側壁１９側から竪線材１１を押圧して、竪線材１１を一方の側壁１７の竪線材当接部２７に横線材１３を一方の側壁１７の横線材当接部２５に各々押し付けている。【選択図】      図１
2005226374.tif 000002
【特許請求の範囲】
【請求項１】
メッシュパネルと、横桟と、押縁とを備え、メッシュパネルは、間隔をおいて列設した複数の竪線材と、竪線材の上端部間又は下端部間を繋ぐ横線材とを有し、横桟は一方の側壁と他方の側壁と両側壁を繋ぐ底壁とから形成した嵌合溝を長手方向に有し、一方の側壁は横線材の見込み部分に当接して嵌合溝からの抜けを防止する横線材係止部と、横線材の見付部分に当接する横線材当接部と、横線材当接部から溝幅を狭めるように段差を付けて設けてあり且つ竪線材の見付部分に当接する竪線材当接部とを有し、押縁は、横桟に取り付けてあり、他方の側壁側から竪線材を押圧して、竪線材を一方の側壁の竪線材当接部に横線材を一方の側壁の横線材当接部に各々押し付けていることを特徴とするメッシュフェンス。
【発明の詳細な説明】
【技術分野】
【０００１】
本発明は、メッシュフェンスに関する。
【背景技術】
【０００２】
特許文献１には、横桟の長手方向に嵌合溝を設け、嵌合溝内に竪線材の上端部と竪線材の上端部間又は下端部間を繋ぐ横線材を嵌め込んで、横線材係止部に横線材を係止してメッシュパネルに横桟を取り付けることが開示されている。
【０００３】
【特許文献１】特開平８−２８１０１号公報
【発明の開示】
【発明が解決しようとする課題】
【０００４】
しかし、特許文献１の技術では、横桟の嵌合溝内では、メッシュパネルの横線材は横線材係止部に係止しているだけなので、メッシュパネルががたつきやすいという問題がある。
【０００５】
そこで、本発明は、溶接やボルト締めをすることなく横桟に対するメッシュパネルのがたつきを防止できるメッシュフェンスの提供を目的とする。
【課題を解決するための手段】
【０００６】
請求項１に記載の発明は、メッシュパネルと、横桟と、押縁とを備え、メッシュパネルは、間隔をおいて列設した複数の竪線材と、竪線材の上端部間又は下端部間を繋ぐ横線材とを有し、横桟は一方の側壁と他方の側壁と両側壁を繋ぐ底壁とから形成した嵌合溝を長手方向に有し、一方の側壁は横線材の見込み部分に当接して嵌合溝からの抜けを防止する横線材係止部と、横線材の見付部分に当接する横線材当接部と、横線材当接部から溝幅を狭めるように段差を付けて設けてあり且つ竪線材の見付部分に当接する竪線材当接部とを有し、押縁は、横桟に取り付けてあり、他方の側壁側から竪線材を押圧して、竪線材を一方の側壁の竪線材当接部に横線材を一方の側壁の横線材当接部に各々押し付けていることを特徴とする。
【発明の効果】
【０００７】
請求項１に記載の発明によれば、竪線材の上端部又は下端部を繋ぐ横線材は横線材係止部により嵌合溝内からの抜けが防止されていると共に、押縁は竪線材を他方の側壁側から一方の側壁の竪線材当接部に押し付け、横線材を他方の側壁側から一方の側壁の横線材当接部に押し付けているので、溶接やボルト締めをすることなく、横桟に対するメッシュパネルのがたつきを防止できる。
【発明を実施するための最良の形態】
【０００８】
以下に、添付図面を参照して本発明の実施の形態を説明する。図１（ａ）は図２のＡ―Ａ断面図、（ｂ）は（ａ）に示す横桟とメッシュパネルとの固定部分を抜き出して示す断面図であり、図２は本実施の形態にかかるメッシュフェンスの正面図である。
第１実施の形態にかかるメッシュフェンス１は、左右の支柱３、３間に取り付けられており、メッシュパネル５と、横桟７と、押縁９とを備えている。
メッシュパネル５は、間隔をおいて列設した複数の竪線材１１と、竪線材１１の上端部１１ａ、１１ａ間を繋ぐ横線材１３とを有している。
横桟７は本実施の形態では笠木であり、メッシュパネル５の上端に設けている。横桟７の下面には、横桟７の長手方向に嵌合溝１５が形成されており、嵌合溝１５は下向きに開口している。嵌合溝１５内には、竪線材１１の上端部１１ａと、横線材１３とが嵌め込まれている。尚、横桟７は左右をそれぞれ金具１２により支柱３に固定されている。
嵌合溝１５は、一方の側壁１７と他方の側壁１９と両側壁１７、１９を繋ぐ底壁２１とから形成してある。一方の側壁１７には、横線材係止部２３と、横線材当接部２５と、竪線材当接部２７とが開口側から底壁２１に向けてこの順序で形成されている。
横線材係止部２３は一方の側壁１７から他方の側壁１９に向けて突設しており、横線材１３の見込み部分１３ａに当接して嵌合溝１５から横線材１３が抜けるのを防止している。横線材当接部２５は横線材１３の見付部分１３ｂに当接している。竪線材当接部２７は、横線材当接部２５から嵌合溝１５の溝幅を狭めるように段差を付けて設けてあり且つ竪線材１１の見付部分１１ｂに当接している。
嵌合溝１５の他方の側壁１９と竪線材１１との間には、タイト材２９が設けてあり、タイト材２９は他方の側壁１９に形成されたタイト材係止部３１により嵌合溝１５内に保持されて、竪線材１１の上端部１１ａに圧接している。
押縁９は、横桟７の長手方向に設けて横桟７の下面にねじ３３で固定されている。また、押縁９は嵌合溝１５内を他方の側壁１９側から一方の側壁１７側に向けて突設して竪線材１１の上端部１１ａを一方側壁１７に向けて押圧して、竪線材１１の上端部１１ａを一方の側壁１７の竪線材当接部２７に、横線材１３を一方の側壁１７の横線材当接部２５に各々押し付けている。
【０００９】
次に、本実施の形態にかかるメッシュフェンス１の組み立て及び作用効果について説明する。
メッシュフェンス１の組み立ては、メッシュパネル５の上端部において、竪線材１１の上端部１１ａと竪線材の上端部１１ａ、１１ａ間を繋ぐ横線材１３とに上方から横桟７を被せるようにして、横桟７の嵌合溝１５内に竪線材１１の上端部１１ａと横線材１３とを挿入した後、嵌合溝１５内の他方側壁１９側にタイト材２９を圧入して、嵌合溝１５内にタイト材２９を圧着する。タイト材２９はタイト材係止部３１に係止して嵌合溝１５に保持されている。次に、他方の側壁１９側から竪線材１１を一方の側壁１７に押し付けるようにして横桟７の下面に押縁９を配置して、ネジ３３で横桟７に固定する。
本実施の形態によれば、押縁９は他方の側壁１９側から竪線材１１を一方の側壁１７の竪線材当接部２７に押し付けるとともに、横線材１３を一方の側壁１７の横線材当接部２５に押し付けるので、横桟７に対するメッシュパネル５のがたつきを防止できる。
また、メッシュフェンス１の組み立てにおいては、メッシュパネル５に横桟７を上方から装着して横桟７にメッシュパネル５を取り付けることができるので、特許文献１の従来技術のように横桟７をメッシュパネル５の左右端部側から長手方向に通して装着することに限られず、施工の自由度が高い。
また、嵌合溝１５の開口を広くとることができるので、メッシュパネルの竪線材１１と横線材１３とを嵌合溝１５に嵌め易い。
【００１０】
本発明は、上述した実施の形態に限らず、本発明の要旨を逸脱しない範囲で種々変形可能である。
例えば、横桟７は笠木に限らず、上面に嵌合溝１５を設けて、嵌合溝１５に竪線材１１の下端部と竪線材の下端部間を繋ぐ横線材１３とを嵌めるものであってもよい。
メッシュフェンス１の組み立ては、横桟７をメッシュパネル５の左右端部側から長手方向に通して装着するものであってもよい。
押縁９は横桟７の長手方向に竪線材１１の位置に対応して複数設け、各押縁９を各竪線材１１の上端部１１ａに取り付けてもよい。
【図面の簡単な説明】
【００１１】
【図１】（ａ）は図２のＡ―Ａ断面図、（ｂ）は（ａ）に示す桟とメッシュパネルとの固定部分を抜き出して示す断面図である。
【図２】本実施の形態にかかるメッシュフェンスの正面図である。
【符号の説明】
【００１２】
１      メッシュフェンス
５      メッシュパネル
７      横桟
９      押縁
１１    竪線材
１１ａ  竪線材の上端部
１１ｂ  見付部分
１３    横線材
１３ａ  見込み部分
１３ｂ  見付部分
１５    嵌合溝
１７    一方の側壁
１９    他方の側壁
２１    底壁
２３    横線材係止部
２５    横線材当接部
２７    竪線材当接部
【図１】
2005226374.tif 000003
【図２】
2005226374.tif 000004